(57)【特許請求の範囲】
【請求項１】
通信装置であって、
撮像装置が撮像した場合に送信される所定の通知を無線通信により受信する受信手段と、
前記受信手段が前記所定の通知を無線通信により受信した場合に、前記通信装置の周囲に存在する第１の他の通信装置から、撮像された画像の送信先を示す送信先情報を取得する取得手段と、
前記取得手段により取得した前記送信先情報に基づいて、撮像された画像を前記送信先に送信する送信手段と、
を有することを特徴とする通信装置。
【請求項２】
前記所定の通知には、前記撮像における撮像距離を示す距離情報が含まれ、
前記取得手段は、前記距離情報に基づいて、前記撮像における撮像距離に応じた距離の範囲に存在する前記第１の他の通信装置から前記情報を取得することを特徴とする請求項１に記載の通信装置。
【請求項３】
前記第１の他の通信装置と無線通信する通信手段を更に有し、
前記取得手段は、前記第１の他の通信装置から、前記通信手段による無線通信により前記送信先情報を取得することを特徴とする請求項１または２に記載の通信装置。
【請求項４】
前記所定の通知には、前記撮像における撮像距離を示す距離情報が含まれ、
前記通信手段は、前記距離情報に基づいて、前記撮像における撮像距離に応じて異なる無線通信方式により前記第１の他の通信装置と通信することを特徴とする請求項３に記載の通信装置。
【請求項５】
前記所定の通知には、前記撮像における撮像距離を示す距離情報が含まれ、
前記通信手段は、前記距離情報に基づいて、前記撮像における撮像距離に応じて異なる送信パワーで前記第１の他の通信装置と通信することを特徴とする請求項３に記載の通信装置。
【請求項６】
前記通信手段は、ＩＥＥＥ８０２．１１シリーズもしくはＢｌｕｅｔｏｏｔｈ（登録商標）に準拠した無線通信により前記第１の他の通信装置と通信することを特徴とする請求項３乃至５のいずれか１項に記載の通信装置。
【請求項７】
前記送信手段は、前記画像と共に、前記第１の他の通信装置に関する情報を送信することを特徴とする請求項１乃至６のいずれか１項に記載の通信装置。
【請求項８】
前記受信手段は、ＩＥＥＥ８０２．１１シリーズに準拠した無線通信により前記所定の通知を受信することを特徴とする請求項１乃至７のいずれか１項に記載の通信装置。
【請求項９】
通信装置の制御方法であって、
撮像装置が撮像した場合に送信される所定の通知を無線通信により受信する受信工程と、
前記所定の通知を無線通信により受信した場合に、前記通信装置の周囲に存在する第１の他の通信装置から、撮像された画像の送信先を示す送信先情報を取得する取得工程と、
前記送信先情報に基づいて、撮像された画像を前記送信先に送信する送信工程と、
を有することを特徴とする制御方法。
【請求項１０】
コンピュータを、請求項１乃至８のいずれか１項に記載の通信装置として動作させるためのプログラム。
【発明の詳細な説明】
【技術分野】
【０００１】
本発明は、通信装置が画像を送信する際における送信先の情報収集方法に関する。
【背景技術】
【０００２】
近年、デジタルカメラの普及に伴い、多種多様なデジタル・フォト・フレームが発売されている。デジタル・フォト・フレームは大容量の内蔵メモリを持つことで多くの画像（静止画や動画）を保存でき、ユーザは好きな時に様々な画像を再生して楽しむことができる。このようなデジタル・フォト・フレームに対して、カメラ機能を備えた携帯電話から画像データを送信する技術がある。特許文献１では、携帯電話がサーバを介して予め設定されたデジタル・フォト・フレームに画像データを送信する技術が開示されている。
【先行技術文献】
【特許文献】
【０００３】
【特許文献１】特開２００９−１８１２１０号公報
【発明の概要】
【発明が解決しようとする課題】
【０００４】
撮像された画像を、その場にいる人々で共有する場合、画像を予め設定されたデジタル・フォト・フレームに送信するのでは、利便性が良くなかった。即ち、画像の送信先となるデジタル・フォト・フレームをユーザがいちいち設定するのでは操作が煩雑となってしまう。
【０００５】
上記の課題を鑑み、画像の撮像時における周囲の環境に応じた送信先に画像を送信できるようにすることを目的とする。
【課題を解決するための手段】
【０００６】
本発明の通信装置は、撮像装置が撮像した場合に送信される所定の通知を無線通信により受信する受信手段と、前記受信手段が前記所定の通知を無線通信により受信した場合に、前記通信装置の周囲に存在する第１の他の通信装置から、撮像された画像の送信先を示す送信先情報を取得する取得手段と、前記取得手段により取得した前記送信先情報に基づいて、撮像された画像を前記送信先に送信する送信手段と、を有する。
【発明の効果】
【０００７】
本発明によれば、画像の撮像時における周囲の環境に応じた送信先に画像を送信することができる。
【図面の簡単な説明】
【０００８】
【図１】ネットワークの構成図
【図２】携帯電話のブロック図
【図３】実施形態におけるシーケンスチャート
【図４】携帯電話が実現するフローチャート
【発明を実施するための形態】
【０００９】
図１に、本実施形態に係る無線通信システムのネットワーク構成を示す。１０１は、デジタルカメラ（以下、単にカメラと称する）であり、１０２および１０３は、カメラ１０１と無線通信可能な携帯電話である。本実施形態では、カメラ１０１と携帯電話１０２とは、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１シリーズに準拠した無線ＬＡＮを構成している。携帯電話１０２および１０３は、カメラ１０１から無線ＬＡＮを介して画像を受信し、受信した画像を後述するデジタル・フォト・フレーム（以下、ＤＰＦと称する）に送信することができる。なお、画像とは、静止画データと動画データの総称である。
【００１０】
１０４は、携帯電話１０２を収容している無線基地局である。即ち、無線基地局１０４と携帯電話１０２とは公衆無線ネットワークを構成している。１０５は、無線基地局１０４が接続されたインターネットである。１０６は、携帯電話１０２から画像を受信し、画像の蓄積および表示を行うＤＰＦである。１０７は、携帯電話１０２から画像を受信し、画像を蓄積するサーバである。
【００１１】
図２に、携帯電話１０２のハードウェア構成を示す。１００１は、カメラ１０１や無線基地局１０４と無線通信するためのアンテナである。なお、本実施形態ではアンテナを１本しか図示していないが、無線ＬＡＮ用のアンテナと公衆無線ネットワーク用のアンテナを総称しているものとする。１００２は、無線ＬＡＮにおける通信および公衆無線ネットワークにおける通信を制御する無線制御部である。
【００１２】
１００３は、後述するフローチャートを実現するためのプログラムを格納したＲＯＭである。１００４は、ＲＯＭ１００３に格納されたプログラムが実行される際にワークエリアとして利用されるＲＡＭである。なお、上述のＲＯＭ、ＲＡＭ等のメモリに代えて、フレキシブルディスク、ハードディスク、光ディスク、光磁気ディスク、ＣＤ−ＲＯＭ、ＣＤ−Ｒ、磁気テープ、不揮発性のメモリカード、ＤＶＤなどの記憶媒体を用いてもよい。
【００１３】
１００５は、携帯電話１０２全体を制御するシステム制御部である。また、システム制御部１００５は、ＲＯＭ１００３に記憶されているプログラムを読み出して実行することで、後述するフローチャートを実現する。１００６は、ユーザに対して各種通知を行う表示部である。１００７は、ユーザからのキー入力を受け付けるキー入力部である。
【００１４】
図３に、カメラ１０１において、ユーザにより電源が投入された際のシーケンスチャートを示す。また、図４に、携帯電話１０２のシステム制御部１００５がＲＯＭ１００３に格納されたプログラムを読み出すことで実現するフローチャートを示す。
【００１５】
カメラ１０１の電源が投入されると、携帯電話１０２はカメラ１０１を検出し（Ｓ３０１）、カメラ１０１との間で接続処理を行う（Ｓ３０２、Ｍ２０１）。これにより、カメラ１０１と携帯電話１０２との間の無線リンクが確立され、携帯電話１０２はカメラ１０１との直接通信が可能となる。
【００１６】
その後、カメラ１０１において画像が撮影されると、カメラ１０１は携帯電話１０２に対して撮影距離情報を含む撮影通知メッセージ（Ｍ２０２）を送信する。ここで、撮影距離情報には、鮮明な画像として撮影可能な範囲を示す被写界深度、および、カメラ１０１に装着されたレンズの焦点距離およびＦ値（絞り値）から算出される過焦点距離が含まれる。なお、被写界深度および過焦点距離に代えて、被写体数に基づく距離情報（被写体数が多い場合には広範囲、被写体数が少ない場合には狭範囲）を含めてもよい。これにより、撮影に際して被写体の認識は行うものの被写界深度や過焦点距離は計算しない場合のカメラ１０１の処理負荷を軽減させることができる。
【００１７】
携帯電話１０２は、アンテナ１００１、無線制御部１００２を介して撮影通知メッセージを受信すると（Ｓ３０３、Ｍ２０２）、撮影通知メッセージに含まれる撮影距離情報をＲＡＭ１００４に格納する。そして、格納された撮影距離情報に応じた距離内に存在する他の通信装置（ここでは、携帯電話１０３）に対して応答要求メッセージをブロードキャストにより送信する（Ｓ３０４、Ｍ２０３）。ここでは、撮影距離情報に応じた送信パワーで応答要求メッセージを送信する。しかしながら、これに代えて、通信範囲の異なる複数の無線方式（無線ＬＡＮ、Ｂｌｕｅｔｏｏｔｈ、Ｚｉｇｂｅｅ、ＩｒＤＡ等）撮影距離情報に応じた無線方式を利用して応答要求メッセージを送信するようにしてもよい。
【００１８】
携帯電話１０３は、応答要求メッセージを受信すると（Ｍ２０３）、自装置の識別情報および画像データの送信先の情報を含めた応答確認メッセージを、携帯電話１０２に返信する（Ｍ２０４）。ここで、自装置の識別情報とは、携帯電話１０３の電話番号やメールアドレス、ユーザ名等である。また、画像データの送信先の情報とは、例えば、携帯電話１０３においてユーザが予め設定したサーバ１０７のアドレス情報、および、サーバ１０７にログインするためのユーザ名やパスワード等の情報である。
【００１９】
携帯電話１０２は、応答確認メッセージを受信すると（Ｓ３０５、Ｍ２０４）、応答確認メッセージに含まれる携帯電話１０３の識別情報をＲＡＭ１００４に格納する。更に携帯電話１０２は、カメラ１０１から画像を受信し、ＲＡＭ１００４に格納する（Ｓ３０７、Ｍ２０５）。ここで、所定時間内にカメラ１０１から画像を受信できなかった場合には（Ｓ３０７でＮＯ）、Ｓ３０３に戻り、再びカメラ１０１からの撮像通知を待受ける。
【００２０】
携帯電話１０２は、画像を受信すると（Ｓ３０７でＹＥＳ）、受信した画像に、ＲＡＭ１００４に格納された携帯電話１０３の識別情報を付加する（Ｓ３０８）。次に、携帯電話１０２は無線基地局１０４との間で接続処理を行う（Ｓ３０９、Ｍ２０６）。これにより、携帯電話１０２と無線基地局１０４との間の無線リンクが確立され、携帯電話１０２は無線基地局１０４との直接通信が可能となる。更に、携帯電話１０２は、無線基地局１０４を介してＤＰＦ１０６との間で接続処理を行う（Ｓ３１０、Ｍ２０７）。なお、この接続処理には、携帯電話１０２からＤＰＦ１０６に画像をアップロードするためのログイン等の認証処理が含まれる。
【００２１】
携帯電話１０２は、ＤＰＦ１０６との間の接続処理が完了すると（Ｓ３１１でＹＥＳ）、携帯電話１０３の識別情報を付加した画像をＤＰＦ１０６に送信する（Ｓ３１２、Ｍ２０８）。更に、携帯電話１０２は、カメラ１０１に対して、画像送信確認メッセージを送信し（Ｓ３１３、Ｍ２０９）、画像がＤＰＦ１０６に送信されたことを通知する。
【００２２】
なお、ＤＰＦ１０６との間の接続処理に失敗した場合（Ｓ３１１でＮＯ）、携帯電話１０２は、カメラ１０１に対して、画像送信失敗メッセージを送信する（ステップＳ３１５）。ここで、接続処理に失敗する場合とは、例えば、所定時間内での認証処理が失敗した場合である。
【００２３】
更に携帯電話１０２は、携帯電話１０３から、画像データの送信先（ここでは、サーバ１０７）の情報を取得しているため（Ｓ６０１でＹｅｓ）、サーバ１０７へのログイン処理を行う（Ｓ６０２）。その後、携帯電話１０２はサーバ１０７に画像を送信する（Ｓ３１２）。
【００２４】
このようにして、画像データの被写体となっているユーザが指定した送信先にも画像データが送信されるため、画像データの被写体となっているユーザと簡単に画像データを共有することができる。
【００２５】
また、上述の実施形態では、カメラ１０１において画像が撮影されると、携帯電話１０２から応答要求メッセージが送信された。しかしこれに限らず、カメラ１０１において画像が撮影されてから所定時間が経過した後に、携帯電話１０２から応答要求メッセージが送信されるようにしてもよい。また、携帯電話１０２の位置の変化を検出した場合に、携帯電話１０２から応答要求メッセージが送信されるようにしてもよい。
【００２６】
また、上述の実施形態では、カメラ１０１と携帯電話１０２とが異なる装置として説明したが、これらが一体型となっていてもよい。この場合、上述したカメラ１０１と携帯電話１０２との間の通信は、装置内モジュール間の有線通信として置き換えれば良い。
【００２７】
また、上述の実施形態では、Ｓ３１０においてＤＰＦ１０６との接続処理を行ったが、携帯電話１０２が画像を電子メールに添付してＤＰＦ１０６に送信する場合には、ＤＰＦ１０６と接続を行わず、メールサーバと接続するようにする。このような場合、Ｓ３１１においてはメールサーバとの間の接続が完了したことを確認するものとする。
【００２８】
また、上述の実施形態では、携帯電話１０２は携帯電話１０３を検出したが、更に多くの携帯電話を検出する場合もある。このような場合、携帯電話１０２は複数の携帯電話の各々から画像の送信先の情報を取得し、それぞれの送信先に対して画像を送信する。この処理は、図４のＳ６０１〜Ｓ３１５を繰り返すことで実現可能である。このようにして、複数のユーザと画像を簡単に共有することができる。
【符号の説明】
【００２９】
１０１  カメラ
１０２  携帯電話
１０３  携帯電話
１０４  無線基地局
１０５  インターネット
１０６  デジタル・フォト・フレーム（ＤＰＦ）
１０７  サーバ
【図１】
0005893325.tif 000002
【図２】
0005893325.tif 000003
【図３】
0005893325.tif 000004
【図４】
0005893325.tif 000005